(57)【要約】【課題】  給電時に地導体に流れる電流を抑制し、人体がアンテナに近づいた場合でも電流変化を小さくし、人体の影響によるアンテナ特性の変化が小さく、小型携帯機器に適した特性を得るアレイアンテナを得る。【解決手段】  地導体２を含む基板上１に配置され、２個を１組として２組からなる４個のアンテナ素子３ａ〜３ｄと、異なる組毎に位相制御して給電する移相器１２ａ，１２ｂと、同一組に属するアンテナ素子３ａ，３ｃと、アンテナ素子３ｂ，３ｄとに平衡給電する平衡／不平衡変換器１１ａ，１１ｂとを備えた。同一組に属するアンテナ素子３ａ，３ｃと、アンテナ素子３ｂ，３ｄとに平衡給電することにより、給電時に地導体２に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。【選択図】        図１
2005295069.tif 000002
【特許請求の範囲】
【請求項１】
地導体を含む基板と、
上記基板上に配置され、Ｎ（Ｎは任意の自然数）個を１組としてＭ（Ｍは任意の自然数）組からなるＮ×Ｍ個のアンテナ素子と、
異なる組毎に位相制御して給電すると共に、同一組に属するアンテナ素子に平衡給電する給電手段とを備えたアレイアンテナ。
【請求項２】
同一組に属するアンテナ素子を対称な位置に配置したことを特徴とする請求項１記載のアレイアンテナ。
【請求項３】
同一組に属するアンテナ素子を近接した位置に配置したことを特徴とする請求項１記載のアレイアンテナ。
【請求項４】
アンテナ素子を正（Ｎ×Ｍ）角形の頂点の位置に配置したことを特徴とする請求項１から請求項３のうちのいずれか１項記載のアレイアンテナ。
【発明の詳細な説明】
【技術分野】
【０００１】
この発明は、基板上に複数のアンテナ素子を配置したアレイアンテナに関するものである。
【背景技術】
【０００２】
従来のアレイアンテナとしては、複数個のアンテナ素子が基板に等間隔で一直線上に配列され、各アンテナ素子に給電回路が接続されており、励振の強さおよび給電位相等を変化させることによってアンテナの指向性を制御している。なお、給電点に接続されるアンテナ素子の放射導体と対向して設ける地導体は各アンテナ素子で共用されるように構成されている（例えば、特許文献１参照）。
【０００３】
【特許文献１】特開２００３−２２９７１３号公報（段落００１６の説明および図１）
【発明の開示】
【発明が解決しようとする課題】
【０００４】
従来のアレイアンテナは以上のように構成されているので、各アンテナ素子の放射導体と対向して設けられた地導体とは共用されており、各アンテナ素子に給電した時に、共通の地導体に電流が流れることになる。また、一般にアレイアンテナを携帯電話等の小型携帯機器に搭載する場合に、人が手に持ったり、頭部の近くで使用することになる。
このような場合、人体の影響で地導体に流れる電流の分布が変化することによりアンテナ特性も変化し、基地局からの電波が弱いところでは通信ができない等の課題があった。また、良好な通信特性を得るためには、大きなアンテナが必要となったり、消費電力が増大する等、小型携帯機器用のアンテナとしては適切でないという課題があった。
【０００５】
この発明は上記のような課題を解決するためになされたもので、給電時に地導体に流れる電流を抑制し、人体がアンテナに近づいた場合でも電流変化を小さくし、人体の影響によるアンテナ特性の変化が小さく、小型携帯機器に適した特性を有するアレイアンテナを得ることを目的とする。
【課題を解決するための手段】
【０００６】
この発明に係るアレイアンテナは、地導体を含む基板上に配置され、Ｎ個を１組としてＭ組からなるＮ×Ｍ個のアンテナ素子と、異なる組毎に位相制御して給電すると共に、同一組に属するアンテナ素子に平衡給電する給電手段とを備えたものである。
【発明の効果】
【０００７】
この発明によれば、同一組に属するアンテナ素子に平衡給電することにより、給電時に地導体に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。また、異なる組毎に位相制御して給電することにより、アレイアンテナの放射パターンを変化させることができ、電波の利用効率が良く、電力消費を抑制でき、受信感度を向上させることができる効果がある。
【発明を実施するための最良の形態】
【０００８】
実施の形態１．
図１はこの発明の実施の形態１によるアレイアンテナを示す配置図であり、図において、地導体２を含む基板１の表面近傍に４個のアンテナ素子３ａ〜３ｄが一定の間隔（例えば、４分の１波長）で配置されている。これら４個のアンテナ素子３ａ〜３ｄは、正方形あるいは長方形の各頂点に配置されたものである。
図２はアンテナ素子の詳細を示す斜視図であり、アンテナ素子としては例えばこの図２に示すような板状逆Ｆアンテナがある。板状逆Ｆアンテナは、地導体２の上方に放射導体４が配置され、放射導体４には給電線５と地導体２との間の接地導体６とが接続されている。このアンテナ素子は、高さが低く、小さいサイズで良好なアンテナ特性が得られるという特徴がある。
ここで、アンテナ素子３ａ，３ｃと、アンテナ素子３ｂ，３ｄとをそれぞれ対（組）とする。すなわち、基板１上の４個のアンテナ素子３ａ〜３ｄの中心点を中心として点対称となる対角の位置に配置されたアンテナ素子を同一組とする。
アンテナ素子３ａ，３ｃの対には平衡／不平衡変換器（給電手段）１１ａが接続され、アンテナ素子３ｂ，３ｄの対には平衡／不平衡変換器（給電手段）１１ｂが接続され、アンテナ素子３ａとアンテナ素子３ｃとの間で位相が１８０°異なる電流が給電される（平衡給電）。同様に、アンテナ素子３ｂとアンテナ素子３ｄとの間で位相が１８０°異なる電流が給電される（平衡給電）。このように、平衡／不平衡変換器１１ａ，１１ｂは、入力側からの不平衡給電を出力側に平衡給電するように変換するものである。
また、アンテナ素子３ａ，３ｃの対には平衡／不平衡変換器１１ａを介して移相器（給電手段）１２ａが接続され、アンテナ素子３ｂ，３ｄの対には平衡／不平衡変換器１１ｂを介して移相器（給電手段）１２ｂが接続され、移相器１２ａ，１２ｂの位相設定を変えることにより、２つの対の間で位相差を設けることができる。２つの移相器１２ａ，１２ｂには、入力端子１４から供給された電力を分配する電力分配器（給電手段）１３が接続されている。
【０００９】
次に動作について説明する。
図１において、入力端子１４から供給された電力は、電力分配器１３で分配され、２つの移相器１２ａ，１２ｂに供給される。移相器１２ａ，１２ｂでは、各位相設定に応じて、２つの対の間で位相差を設けて平衡／不平衡変換器１１ａ，１１ｂを介してアンテナ素子３ａ，３ｃと、アンテナ素子３ｂ，３ｄとに給電する。
このように、２つの対の間で移相差を設けることにより、アレイアンテナの放射パターンを変化させることができる。通常の等方性アンテナの場合、通信相手のいる場所以外の方向にも等しく電波を放射する。したがって、遠くの相手と通信する場合、大きな電力が必要となり、電波の利用効率が良くない。それに比べて、アレイアンテナにより指向特性を可変とした場合、通信相手のいる方向に向かって選択的に電波を放射できる。また、受信の場合も、通信経路上にある物体に反射してアンテナに届く電波は位相や偏波がずれるため、信号とは見なせなくなり、ノイズとなってしまう。この場合も、指向特性を相手の方向にある程度限定することができ、通信系路上で反射した電波を受信することが少なくなるため、受信感度が向上する。
【００１０】
また、平衡／不平衡変換器１１ａでは、移相器１２ａからの不平衡給電を、アンテナ素子３ａ，３ｃの間で位相が１８０°異なるように、すなわち、平衡給電されるように変換して給電し、同様に、平衡／不平衡変換器１１ｂでは、移相器１２ｂからの不平衡給電を、アンテナ素子３ｂ，３ｄの間で位相が１８０°異なる平衡給電されるように変換して給電する。
このように、対称な位置に配置されたアンテナ素子３ａ，３ｃの間で位相が１８０°異なるように、また、アンテナ素子３ｂ，３ｄの間で位相が１８０°異なるように電流が給電されており、平衡給電となっている。平衡給電することにより、例えば、アンテナ素子３ａ，３ｃ間の平衡給電を例とすると、アンテナ素子３ａから流れ出た電流がアンテナ素子３ｃから戻って来たり、アンテナ素子３ｃから流れ出た電流がアンテナ素子３ａから戻って来たりして、電流の戻りに地導体２を用いることがないので、平衡給電した場合には地導体２にほとんど電流が流れることはなく、電流の戻りに地導体２を用いる不平衡給電の場合に比べて、地導体２に流れる電流を抑制することができる。
小型携帯機器のアンテナとして不平衡給電アンテナが用いられると、この小型携帯機器を人が手で持ったり、頭部の近くで使用する等が想定され、人体は誘電体と見なされるため、人体がアンテナ近くにある場合、アンテナ素子３ａ〜３ｄや地導体２を流れる電流分布が変化し、アンテナの指向特性が変化する可能性がある。
そこで、アンテナ素子対毎に平衡給電することにより、地導体２を流れる電流を抑制することができ、人体がアンテナに近づいた場合でも、電流の変化が小さいため、人体の影響によるアンテナ特性の変化が小さく、小型携帯機器に適した特性が得られる。
【００１１】
以上のように、この実施の形態１によれば、同一対に属するアンテナ素子３ａ，３ｃの間、アンテナ素子３ｂ，３ｄの間で平衡給電することにより、給電時に地導体２に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。また、異なる対毎に位相制御して給電することにより、アレイアンテナの放射パターンを変化させることができ、電波の利用効率が良く、電力消費を抑制でき、受信感度を向上させることができる。
また、同一対に属するアンテナ素子３ａ，３ｃと、アンテナ素子３ｂ，３ｄとを対称な位置、例えば、基板１上のある一点を中心とした点対称に配置したことにより、同一組に属するアンテナ素子に対しては給電の平衡性が高く、さらに、給電時に地導体２に流れる電流を抑制することができ、人体の影響によるアンテナ特性の変化を小さくすることができる。
さらに、４個のアンテナ素子３ａ〜３ｄを正方形あるいは長方形の各頂点に配置したことにより、アンテナ素子３ａ〜３ｄの配置が均等なので性能の良いアレイアンテナを得ることができる。
【００１２】
実施の形態２．
図３はこの発明の実施の形態２によるアレイアンテナを示す配置図であり、図において、各構成は図１と同等であるが、基板１上の近接した位置に配置したアンテナ素子３ａ，３ｄと、アンテナ素子３ｂ，３ｃとをそれぞれ対（組）としたものである。
【００１３】
次に動作について説明する。
上記実施の形態１では、アンテナ素子の対の構成として、対角の位置に配置されたアンテナ素子同士を対としたが、近接した位置に配置した２つのアンテナ素子を対としても良い。
図３において、４つのアンテナ素子３ａ〜３ｄのうちのアンテナ素子３ａ，３ｄを対、アンテナ素子３ｂ，３ｃを対とする。この場合も、対になったアンテナ素子間には平衡給電され、１８０°異なった位相の電流が供給されるため、地導体２に流れる電流は抑制される。
【００１４】
以上のように、この実施の形態２によれば、同一対に属するアンテナ素子３ａ，３ｄの間、アンテナ素子３ｂ，３ｃの間で平衡給電することにより、給電時に地導体２に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。また、異なる対毎に位相制御して給電することにより、アレイアンテナの放射パターンを変化させることができ、電波の利用効率が良く、電力消費を抑制でき、受信感度を向上させることができる。
また、同一対に属するアンテナ素子３ａ，３ｄと、アンテナ素子３ｂ，３ｃとを基板１上の近接した位置に配置したことにより、地導体２に流れる電流分布を比較的狭い範囲に限定することができ、人体の影響によるアンテナ特性の変化を小さくすることができる。
さらに、４個のアンテナ素子３ａ〜３ｄを正方形あるいは長方形の各頂点に配置したことにより、アンテナ素子３ａ〜３ｄの配置が均等なので性能の良いアレイアンテナを得ることができる。
【００１５】
実施の形態３．
図４はこの発明の実施の形態３によるアレイアンテナを示す配置図であり、図において、地導体２を含む基板１の表面近傍に６個のアンテナ素子２１ａ〜２１ｆが正六角形の各頂点に配置されたものである。
ここで、アンテナ素子２１ａ，２１ｃ，２１ｅと、アンテナ素子２１ｂ，２１ｄ，２１ｆとをそれぞれ組とする。すなわち、基板１上の６個のアンテナ素子２１ａ〜２１ｆの中心点を中心として点対称となる位置に配置されたアンテナ素子を同一組とする。
アンテナ素子２１ａ，２１ｃ，２１ｅの組には平衡（三相）／不平衡（単相）変換器（給電手段）２２ａが接続され、アンテナ素子２１ｂ，２１ｄ，２１ｆの組には平衡（三相）／不平衡（単相）変換器（給電手段）２２ｂが接続され、アンテナ素子２１ａ，２１ｃ，２１ｅの間で三相平衡給電される。同様に、アンテナ素子２１ｂ，２１ｄ，２１ｆの間で三相平衡給電される。このように、平衡（三相）／不平衡（単相）変換器２２ａ，２２ｂは、入力側からの単相不平衡給電を出力側に三相平衡給電するように変換するものである。
また、アンテナ素子２１ａ，２１ｃ，２１ｅの組には平衡（三相）／不平衡（単相）変換器２２ａを介して移相器１２ａが接続され、アンテナ素子２１ｂ，２１ｄ，２１ｆの組には平衡（三相）／不平衡（単相）変換器２２ｂを介して移相器１２ｂが接続され、移相器１２ａ，１２ｂの位相設定を変えることにより、２つの組の間で位相差を設けることができる。２つの移相器１２ａ，１２ｂには、入力端子１４から供給された電力を分配する電力分配器（給電手段）１３が接続されている。
【００１６】
次に動作について説明する。
上記実施の形態１および上記実施の形態２では、２個のアンテナ素子を１組として２組のアンテナ素子を用いたが、３個のアンテナ素子を１組として２組のアンテナ素子を用いても良い。
図４において、６個のアンテナ素子２１ａ〜２１ｆのうちのアンテナ素子２１ａ，２１ｃ，２１ｅを組、アンテナ素子２１ｂ，２１ｄ，２１ｆを組とする。入力端子１４から供給された電力は、電力分配器１３で分配され、２つの移相器１２ａ，１２ｂに供給される。移相器１２ａ，１２ｂでは、各位相設定に応じて、２つの組の間で位相差を設けて平衡（三相）／不平衡（単相）変換器２２ａ，２２ｂを介してアンテナ素子２１ａ，２１ｃ，２１ｅと、アンテナ素子２１ｂ，２１ｄ，２１ｆとに給電する。
上記実施の形態１と同様に、２つの組の間で移相差を設けることにより、アレイアンテナの放射パターンを変化させることができる。
【００１７】
また、平衡（三相）／不平衡（単相）変換器２２ａでは、移相器１２ａからの単相不平衡給電を、アンテナ素子２１ａ，２１ｃ，２１ｅに三相平衡給電されるように変換して給電し、同様に、平衡（三相）／不平衡（単相）変換器２２ｂでは、移相器１２ｂからの単相不平衡給電を、アンテナ素子２１ｂ，２１ｄ，２１ｆに三相平衡給電されるように変換して給電する。
このように、三相平衡給電することにより、電流の戻りに地導体２を用いることがないので、三相平衡給電した場合には地導体２にほとんど電流が流れることはなく、電流の戻りに地導体２を用いる不平衡給電の場合に比べて、地導体２に流れる電流を抑制することができる。
【００１８】
以上のように、この実施の形態３によれば、同一組に属するアンテナ素子２１ａ，２１ｃ，２１ｅの間、アンテナ素子２１ｂ，２１ｄ，２１ｆの間で三相平衡給電することにより、給電時に地導体２に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。また、異なる組毎に位相制御して給電することにより、アレイアンテナの放射パターンを変化させることができ、電波の利用効率が良く、電力消費を抑制でき、受信感度を向上させることができる。
また、同一組に属するアンテナ素子２１ａ，２１ｃ，２１ｅと、アンテナ素子２１ｂ，２１ｄ，２１ｆとを対称な位置、例えば、基板１上のある一点を中心とした点対称に配置したことにより、同一組に属するアンテナ素子に対しては給電の平衡性が高く、さらに、給電時に地導体２に流れる電流を抑制することができ、人体の影響によるアンテナ特性の変化を小さくすることができる。
さらに、６個のアンテナ素子２１ａ〜２１ｆを正六角形の各頂点に配置したことにより、アンテナ素子２１ａ〜２１ｆの配置が均等なので性能の良いアレイアンテナを得ることができる。
【００１９】
実施の形態４．
図５はこの発明の実施の形態４によるアレイアンテナを示す配置図であり、図において、地導体２を含む基板１の表面近傍に８個のアンテナ素子３１ａ〜３１ｈが正八角形の各頂点に配置されたものである。
ここで、基板１上の近接した位置に配置したアンテナ素子３１ａ，３１ｂと、アンテナ素子３１ｃ，３１ｄと、アンテナ素子３１ｅ，３１ｆと、アンテナ素子３１ｇ，３１ｈとをそれぞれ対（組）とする。
アンテナ素子３１ａ，３１ｂの対には平衡／不平衡変換器（給電手段）３２ａが接続され、アンテナ素子３１ｃ，３１ｄの対には平衡／不平衡変換器（給電手段）３２ｂが接続され、アンテナ素子３１ｅ，３１ｆの対には平衡／不平衡変換器（給電手段）３２ｃが接続され、アンテナ素子３１ｇ，３１ｈの対には平衡／不平衡変換器（給電手段）３２ｄが接続され、平衡給電される。
また、アンテナ素子３１ａ，３１ｂの対には平衡／不平衡変換器３２ａを介して移相器（給電手段）３３ａが接続され、アンテナ素子３１ｃ，３１ｄの対には平衡／不平衡変換器３２ｂを介して移相器（給電手段）３３ｂが接続され、アンテナ素子３１ｅ，３１ｆの対には平衡／不平衡変換器３２ｃを介して移相器（給電手段）３３ｃが接続され、アンテナ素子３１ｇ，３１ｈの対には平衡／不平衡変換器３２ｄを介して移相器（給電手段）３３ｄが接続され、移相器３３ａ〜３３ｄの位相設定を変えることにより、４つの対の間で位相差を設けることができる。４つの移相器３３ａ〜３３ｄには、入力端子１４から供給された電力を分配する電力分配器（給電手段）１３が接続されている。
【００２０】
次に動作について説明する。
上記実施の形態１および上記実施の形態２では、２個のアンテナ素子を１組として２組のアンテナ素子を用いたが、２個のアンテナ素子を１組として４組のアンテナ素子を用いても良い。
図５において、８個のアンテナ素子３１ａ〜３１ｈのうちのアンテナ素子３１ａ，３１ｂを対、アンテナ素子３１ｃ，３１ｄを対、アンテナ素子３１ｅ，３１ｆを対、アンテナ素子３１ｇ，３１ｈを対とする。入力端子１４から供給された電力は、電力分配器１３で分配され、４つの移相器３３ａ〜３３ｄに供給される。移相器３３ａ〜３３ｄでは、各位相設定に応じて、４つの組の間で位相差を設けて平衡／不平衡変換器３２ａ〜３２ｄを介してアンテナ素子３１ａ，３１ｂと、アンテナ素子３１ｃ，３１ｄと、アンテナ素子３１ｅ，３１ｆと、アンテナ素子３１ｇ，３１ｈとに給電する。４つの組の間で移相差を設けることにより、アレイアンテナの放射パターンを変化させることができる。
【００２１】
また、平衡／不平衡変換器３２ａでは、移相器３３ａからの不平衡給電を、アンテナ素子３１ａ，３１ｂに平衡給電されるように変換して給電し、同様に、平衡／不平衡変換器３２ｂでは、移相器３３ｂからの不平衡給電を、アンテナ素子３１ｃ，３１ｄに平衡給電されるように変換して給電し、平衡／不平衡変換器３２ｃでは、移相器３３ｃからの不平衡給電を、アンテナ素子３１ｅ，３１ｆに平衡給電されるように変換して給電し、平衡／不平衡変換器３２ｄでは、移相器３３ｄからの不平衡給電を、アンテナ素子３１ｇ，３１ｈに平衡給電されるように変換して給電する。
このように、平衡給電することにより、電流の戻りに地導体２を用いることがないので、平衡給電した場合には地導体２にほとんど電流が流れることはなく、電流の戻りに地導体２を用いる不平衡給電の場合に比べて、地導体２に流れる電流を抑制することができる。
【００２２】
以上のように、この実施の形態４によれば、同一対に属するアンテナ素子３１ａ，３１ｂの間、アンテナ素子３１ｃ，３１ｄの間、アンテナ素子３１ｅ，３１ｆの間、アンテナ素子３１ｇ，３１ｈの間で平衡給電することにより、給電時に地導体２に流れる電流を不平衡給電の場合に比べて抑制し、人体がアレイアンテナに近づいた場合でも電流変化を小さくすることができ、人体の影響によるアンテナ特性の変化が小さく、小型携帯機器に適した特性を得ることができる。また、異なる対毎に位相制御して給電することにより、アレイアンテナの放射パターンを変化させることができ、電波の利用効率が良く、電力消費を抑制でき、受信感度を向上させることができる。
また、同一対に属するアンテナ素子３１ａ，３１ｂと、アンテナ素子３１ｃ，３１ｄと、アンテナ素子３１ｅ，３１ｆと、アンテナ素子３１ｇ，３１ｈとを基板１上の近接した位置に配置したことにより、地導体２に流れる電流分布を比較的狭い範囲に限定することができ、人体の影響によるアンテナ特性の変化を小さくすることができる。
さらに、８個のアンテナ素子３１ａ〜３１ｈを正八角形の各頂点に配置したことにより、アンテナ素子３１ａ〜３１ｈの配置が均等なので性能の良いアレイアンテナを得ることができる。
【００２３】
なお、上記実施の形態１および上記実施の形態２では、２個のアンテナ素子を１対として２対からなるアンテナ素子を用い、上記実施の形態３では、３個のアンテナ素子を１組として２組からなるアンテナ素子を用い、上記実施の形態４では、２個のアンテナ素子を１対として４対からなるアンテナ素子を用いたが、１組を構成するアンテナ素子数およびその組数は共に任意であり、例えば、３個を１組とした４組からなるアンテナ素子や、５個を１組とした４組からなるアンテナ素子を用いても良く、アンテナ素子が多いと指向性をより細かく制御することができる。
また、上記実施の形態１および上記実施の形態２では、４個のアンテナ素子を正方形の頂点の位置、上記実施の形態３では、６個のアンテナ素子を正六角形の頂点の位置、上記実施の形態４では、８個のアンテナ素子を正八角形の頂点の位置に配置したが、構成する任意数のアンテナ素子を、その任意数と同数角の正多角形の頂点の位置にそれぞれ配置するようにしても良く、同様な効果を奏することができる。
【図面の簡単な説明】
【００２４】
【図１】この発明の実施の形態１によるアレイアンテナを示す配置図である。
【図２】アンテナ素子の詳細を示す斜視図である。
【図３】この発明の実施の形態２によるアレイアンテナを示す配置図である。
【図４】この発明の実施の形態３によるアレイアンテナを示す配置図である。
【図５】この発明の実施の形態４によるアレイアンテナを示す配置図である。
【符号の説明】
【００２５】
１  基板、２  地導体、３ａ〜３ｄ，２１ａ〜２１ｆ，３１ａ〜３１ｈ  アンテナ素子、４  放射導体、５  給電線、６  接地導体、１１ａ，１１ｂ，３２ａ〜３２ｄ  平衡／不平衡変換器（給電手段）、１２ａ，１２ｂ，３３ａ〜３３ｄ  移相器（給電手段）、１３  電力分配器（給電手段）、１４  入力端子、２２ａ，２２ｂ  平衡（三相）／不平衡（単相）変換器（給電手段）。
【図１】
2005295069.tif 000003
【図２】
2005295069.tif 000004
【図３】
2005295069.tif 000005
【図４】
2005295069.tif 000006
【図５】
2005295069.tif 000007